【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
無機固体電解質（ＳＳＥ）と、
前記固体電解質材料の外面の少なくとも一部または全部に配設されたポリマー材料と、
を備え、
前記ＳＳＥが、イオン電導性である複数のファイバもしくはストランドを含む、または整列した多孔構造を含む、固体ハイブリッド電解質。
【請求項２】
複数のファイバは、
複数のナノファイバである、
織編基板として存在する、または
３Ｄネットワークを形成する
請求項１に記載のハイブリッド電解質。
【請求項３】
前記ポリマー材料が、１０ｎｍ〜１０ミクロンの厚さの１つまたは複数の点を有する、請求項１に記載のハイブリッド電解質。
【請求項４】
前記ＳＳＥ材料が、
リチウムイオン伝導性ＳＳＥ材料、
ナトリウムイオン伝導性ＳＳＥ材料、
マグネシウムイオン伝導性ＳＳＥ材料、
リチウムペロブスカイト材料、Ｌｉ３Ｎ、Ｌｉ−β−アルミナ、リチウム超イオン伝導体（ＬＩＳＩＣＯＮ）、Ｌｉ２．８８ＰＯ３．８６Ｎ０．１４（ＬｉＰＯＮ）、Ｌｉ９ＡｌＳｉＯ８、Ｌｉ１０ＧｅＰ２Ｓ１２、リチウムガーネット材料、ドープリチウムガーネット材料、リチウムガーネット複合材料、およびこれらの組み合わせから成る群から選択される第１材料、
β”−Ａｌ２Ｏ３、Ｎａ４Ｚｒ２Ｓｉ２ＰＯ１２（ＮＡＳＩＣＯＮ）、カチオンドープＮＡＳＩＣＯＮ、およびこれらの組み合わせから成る群から選択される第２材料、または
Ｍｇ１＋ｘ（Ａｌ，Ｔｉ）２（ＰＯ４）６（ただし、ｘは４または５）、ＮＡＳＩＣＯＮ型マグネシウムイオン伝導性材料、およびこれらの組み合わせから成る群から選択される第３材料、
を含む、請求項１に記載のハイブリッド電解質。
【請求項５】
前記無機ＳＳＥが、前記無機ＳＳＥの外面に露出した細孔を有し、前記ハイブリッド電解質が、前記細孔の少なくとも一部に配設された少なくとも１つのカソード材料および／または少なくとも１つのアノード材料をさらに含み、
少なくとも１つのカソード材料および少なくとも１つのアノード材料が前記細孔の少なくとも一部に配設される場合、前記少なくとも１つのカソード材料および少なくとも１つのアノード材料が、前記無機ＳＳＥの離散かつ電気的に分離された領域に配設される、請求項１に記載のハイブリッド電解質。
【請求項６】
前記ポリマー材料が、ポリ（エチレン）（ＰＥ）、ポリ（エチレンオキシド）（ＰＥＯ）、ポリ（プロピレン）（ＰＰ）、ポリ（プロピレンオキシド）、ポリメチルメタクリレート（ＰＭＭＡ）、ポリアクリロニトリル（ＰＡＮ）、ポリ［ビス（メトキシエトキシエトキシド）−ホスファゼン］、ポリ（ジメチルシロキサン）（ＰＤＭＳ）、セルロース、酢酸セルロース、酢酸酪酸セルロース、酢酸プロピオン酸セルロース、ポリ二フッ化ビニリデン（ＰＶｄＦ）、ポリビニルピロリドン（ＰＶＰ）、ポリスチレン（ＰＳ）、ポリスチレンスルホン酸塩（ＰＳＳ）、ポリ塩化ビニル（ＰＶＣ）群、ポリ（塩化ビニリデン）ポリプロピレンオキシド、ポリ酢酸ビニル、ポリテトラフルオロエチレン、ポリ（エチレンテレフタレート）（ＰＥＴ）、ポリイミド、ポリヒドロキシアルカノエート（ＰＨＡ）、ＰＥＯ含有共重合体、ポリスチレン（ＰＳ）−ＰＥＯ共重合体、ポリ（メチルメタクリレート）（ＰＭＭＡ）−ＰＥＯ共重合体、ポリアクリロニトリル（ＰＡＮ）、ポリ（アクリロニトリル−メチルアクリレート共重合体）、ＰＶｄＦ含有共重合体、ポリフッ化ビニリデン−ヘキサフルオロプロピレン共重合体（ＰＶｄＦ−ＨＦＰ共重合体）、ＰＭＭＡ共重合体、これらの誘導体、およびこれらの組み合わせから成る群から選択されるポリマーを含む、
前記ポリマー材料がゲルである、
前記ポリマー材料が、エチレンカーボネート（ＥＣ）、ジエチルカーボネート（ＤＥＣ）、ジメトキシエタン（ＤＭＥ）、ジオキソラン（ＤＯＬ）、Ｎ−プロピル−Ｎ−メチルピロリジニウム・ビス（トリフルオロメタンスルホニル）イミド（ＰＹＲ１３ＴＦＳＩ）、およびこれらの組み合わせから成る群から選択される液体ならびに／またはＬｉＰＦ６、ＬｉＴＦＳＩ、ＬｉＴＦＳＩ、およびこれらの組み合わせから成る群から選択される塩を含むゲルである、
前記ポリマー材料が、ポリフッ化ビニリデン（ＰＶＤＦ）、ポリフッ化ビニリデン−ヘキサフルオロプロピレン共重合体（ＰＶｄＦ−ＨＦＰ共重合体）、ポリビニルピロリドン（ＰＶＰ）、ＰＥＯ、ＰＭＭＡ、ＰＡＮ、ポリスチレン（ＰＳ）、ポリエチレン（ＰＥ）、およびこれらの組み合わせから成る群から選択されるポリマーを含むゲルである、
前記ポリマー材料が金属塩を含む、または
前記ポリマー材料がセラミックフィラーを含む、
請求項１に記載のハイブリッド電解質。
【請求項７】
無機固体電解質は可撓性の無機固体電解質を含む、請求項１に記載のハイブリッド電解質。
【請求項８】
請求項１に記載のハイブリッド電解質と、
アノードと、
カソードと、
を備え、
前記ハイブリッド電解質が、前記カソードと前記アノードとの間に配設された、電池。
【請求項９】
前記電池が、リチウムイオン伝導性固体電池であり、前記ハイブリッド電解質がリチウムイオン伝導性ＳＳＥ材料である、
前記電池が、ナトリウムイオン伝導性固体電池であり、前記ハイブリッド電解質がナトリウムイオン伝導性ＳＳＥ材料である、または
前記電池が、マグネシウムイオン伝導性固体電池であり、前記ハイブリッド電解質がマグネシウムイオン伝導性ＳＳＥ材料である、請求項８に記載の電池。
【請求項１０】
前記カソードおよび／または前記アノードが導電性炭素材料を含む、または
前記カソードおよび／または前記アノードが導電性炭素材料を含み、カソード材料が有機またはゲルイオン導電性電解質をさらに含む、請求項８に記載の電池。
【請求項１１】
前記カソードが、硫黄、硫黄複合材、および多硫化物材料から成る群から選択される材料を含む、
前記カソードが空気である、
前記カソードが、リチウム含有カソード材料から選択される材料を含む、
前記カソードが、ナトリウム含有カソード材料から選択される材料を含む、
前記カソードが、ドープマグネシウム酸化物から成る群から選択される材料を含む、
前記アノードが、シリコン含有材料、スズおよびその合金、スズ／炭素、およびリンから成る群から選択される材料を含む、
前記アノードが、リチウムイオン伝導性アノード材料から成る群から選択される材料を含む、
前記アノードが、ナトリウムイオン伝導性アノード材料である、
前記アノードが、ナトリウムイオン伝導性アノード材料から選択される材料を含む、
前記アノードが、ナトリウム金属である、
前記アノードが、マグネシウム含有アノード材料である、または
前記アノードが、マグネシウム金属である、
請求項８に記載の電池。
【請求項１２】
前記リチウム含有カソード材料が、リチウムニッケルマンガンコバルト酸化物、ＬｉＣｏＯ２、ＬｉＮｉ１／３Ｃｏ１／３Ｍｎ１／３Ｏ２、ＬｉＮｉ０．５Ｃｏ０．２Ｍｎ０．３Ｏ２、リチウムマンガン酸化物（ＬＭＯ）、リチウムリン酸鉄（ＬＦＰ）、ＬｉＭｎＰＯ４、ＬｉＣｏＰＯ４、およびＬｉ２ＭＭｎ３Ｏ８ここでＭはＦｅ、Ｃｏおよびこれらの組み合わせから選択される、から成る群から選択される、または
前記リチウムイオン伝導性アノード材料が、炭化リチウム、Ｌｉ６Ｃ、およびチタン酸リチウム（ＬＴＯ）から成る群から選択されるリチウム含有材料である、
請求項１１に記載の電池。
【請求項１３】
液体電解質を備えた従来のイオン伝導性電池であり、前記電池が、無機ＳＳＥまたは固体ハイブリッド電解質および液体電解質を備え、前記液体電解質が、前記固体ハイブリッド電解質の一部として存在せず、
前記無機ＳＳＥ材料または前記固体ハイブリッド電解質が、前記従来の電池のセパレータである、請求項１２に記載の電池。
【請求項１４】
固体ハイブリッド電解質を作製する方法であって、
テンプレートを１つまたは複数のＳＳＥ材料前駆体と接触させることと、
任意選択として、前記ＳＳＥ材料前駆体を反応させることと、
前記テンプレートを前記固体無機材料で熱処理することであり、前記テンプレートが除去され、前記無機ＳＳＥが形成される、ことと、
前記焼成テンプレートをポリマー材料と接触させることと、
を含み、
固体ハイブリッド電解質が形成される、方法。
【請求項１５】
前記ＳＳＥ材料前駆体が、ゾルゲル前駆体または金属塩である、
前記テンプレートが、炭素テンプレートである、
前記テンプレートが、生体材料テンプレートである、
前記テンプレートが炭素テンプレートであり、前記炭素テンプレートが繊維テンプレートである、または
前記テンプレートが、木材テンプレートまたは植物テンプレートである生体材料テンプレートである、
請求項１４に記載の方法。